(57)【要約】      （修正有）【課題】保持時には鍼先を傷めることなく、施術時には鍼と鍼管を包装から取り出す際に小片の廃棄物が生じない鍼および鍼管の構造体を提供する。【解決手段】鍼体と鍼柄１０３を備えた鍼と、鍼が通過可能な内径を備えた筒状の鍼管１０４を組み合わせ、ブリスタ２０１内に納める。ここで、鍼柄１０３を下に鍼先を上にして鍼を鍼管１０４の中に納めた形にて、ブリスタ２０１の中に封入せしめる。ブリスタ２０１の下部に鍼柄１０３の径より大きく鍼管１０４の外径よりも小さい径を備えた凹部２０２を設け、鍼柄１０３の一部を凹部２０２の中に入れ込んだ状態にてブリスタ２０１の中に封入せしめる。このように鍼柄１０３をブリスタの凹部２０２に入れ込んだ状態として鍼先が鍼管１０４の内側に位置して保護されるようにする。【選択図】図２
0003138092.tif 000002
【実用新案登録請求の範囲】
【請求項１】
鍼体と鍼柄を備えた鍼と、前記鍼が通過可能な内径を備えた筒状の鍼管と、前記鍼と鍼管を収めることができる窪みを備えたブリスタと、前記ブリスタの裏面を封止する台紙を備えた鍼および鍼管の包装構造体において、
前記鍼柄を下に鍼先を上にして前記鍼を前記鍼管の中に納めた形にて、前記ブリスタの中に封入せしめたことを特徴とする鍼および鍼管の包装構造体。
【請求項２】
前記ブリスタの下部に前記鍼柄の径より大きく前記鍼管の外径よりも小さい径を備えた凹部を設け、前記鍼柄の一部を前記凹部の中に入れ込んだ状態にて前記ブリスタの中に封入せしめたことを特徴とする請求項１に記載の鍼および鍼管の包装構造体。
【請求項３】
前記鍼柄を前記ブリスタの凹部に入れ込んだ状態において、鍼先が前記鍼管の内側に位置し、前記ブリスタに当接しない状態としたことを特徴とする請求項１または２に記載の鍼および鍼管の包装構造体。
【請求項４】
前記ブリスタ下部において前方向に屈曲するきっかけとなる溝状の折り目を設けたことを特徴とする請求項１から３のいずれか１項に記載の鍼および鍼管の包装構造体。
【請求項５】
請求項１から４のいずれか１項に記載の鍼および鍼管の包装構造体を複数個まとめて箱詰めパッケージした鍼および鍼管の包装構造体の集合体であって、前記鍼および鍼管の包装構造体を一つ一つ単体のまま箱詰めパッケージせしめた鍼および鍼管の包装構造体の集合体。
【請求項６】
請求項１から４のいずれか１項に記載の鍼および鍼管の包装構造体を複数個まとめて箱詰めパッケージした鍼および鍼管の包装構造体の集合体であって、前記鍼および鍼管の包装構造体を複数個連結した連結体にて箱詰めパッケージせしめた鍼および鍼管の包装構造体の集合体。
【考案の詳細な説明】
【技術分野】
【０００１】
本考案は、鍼および鍼管の包装構造体に関する。特に、簡単な構造にて流通の運搬時に鍼先がブリスタ内で衝突せずに保護され、かつ、施術の際に簡単に鍼および鍼管をブリスタから取り出してそのまま管鍼法にて鍼を打つことができる鍼および鍼管の包装構造体に関する。
【背景技術】
【０００２】
鍼を患者に刺入するために用いる技法として管鍼法が用いられることが多い。管鍼法は鍼管を補助具として用い、あらかじめ鍼を挿入した鍼管を患者のつぼにあて、鍼管の頭部から出ている鍼柄頭部を軽く押すことによって、鍼先端を皮膚に刺入し、その後鍼管を取り去り、鍼を指の間にはさみ立てた状態で、さらに必要な深さまで刺入する。
従来は鍼及び鍼管はともに再使用されていた。しかし、現在は衛生上の問題および利便性の観点から、鍼を鍼管にセットした状態で個別にブリスタ内に密封包装した滅菌済みの使い捨て鍼が主流である。
【０００３】
従来の一般的な鍼および鍼管の包装構造体を説明する。
図８左側は鍼と鍼管と止めクリップを分離した状態を示し、図８右側は鍼と鍼管と止めクリップを組み合わせた状態を示す図である。
鍼１は鍼体２と鍼柄３とからなっており、ある程度弾性力を備えた滅菌鋼材が用いられている。鍼柄３は施術者が指でつまむ持ち手となる。
鍼管４は鍼１を保護する役目と鍼１を挿入するためのガイドとなる。鍼管４はその内径が鍼体２および鍼柄３の外径よりも大きく、鍼１が十分な遊びをもって鍼管４の内側を滑り通るサイズとなっている。つまり、鍼１と鍼管４は独立し合っており、そのままでは鍼１は鍼管４内に保持しておくことはできない。後述するようにブリスタ内に包装するので鍼１が自由に動いてしまうと鍼先を傷めたり、ブリスタを突き破ったりして危険である。そこで止めクリップ５が用いられる。
【０００４】
止めクリップ５は例えば硬質塩化ビニル等の樹脂製のものであり、鍼１が鍼管４の中に挿入された状態で鍼が抜け落ちたり動いたりしないように一時的に止めるものである。止めクリップ５の下先端は鍼管４の内径よりも小さく、上先端は鍼管４の内径よりも大きくなっており、テーパーを持ち、鍼管４の中に下先端から突っ込むとテーパー部分により鍼管４の上端で引っ掛かるようになっている。またある程度の肉厚を持っている。図８右側のように、鍼１は鍼柄３の半分ほどの長さが鍼管４の上端から突出した状態で、止めクリップ５の下先端を鍼管４の内側に突っ込み入れ、鍼柄３を鍼管４の内壁と止めクリップ５の間で挟持することにより一時的に鍼１を固定する。この図８右側の状態、つまり、鍼１が鍼管４の中にあらかじめ挿入されて止めクリップで止められた状態で包装される。
【０００５】
図９は、従来の鍼および鍼管の包装構造体を示す図である。左側が正面図、右側が左側面図である。図９に示したように、鍼１、鍼管４、止めクリップ５が組み合わされている状態は図８右側に示したものと同じ状態である。この組み合わせ状態の鍼１および鍼管４がブリスタ６内に滅菌封入されている。ブリスタ６は裏側が前面開口された窪みを有しており、この窪みに鍼１および鍼管４が収められ、裏側から台紙７が貼り付けられて密封される。
【０００６】
使用に当たっては、まず、図１０に示すように、台紙７をめくり、ブリスタ６の裏側の開口から鍼１および鍼管４を取り出す。この状態ではクリップ６により鍼柄３が挟持されているので鍼１が鍼管４から抜け落ちる心配はない。
【０００７】
次に、止めクリップ５を取り外して鍼１の挟持状態を開放する。鍼１は鍼管４内で十分な遊びがあり鍼管４内を簡単に通り抜けてしまう状態にあるので、指で鍼管４と鍼柄３を併せ持ち、鍼１と鍼管４を保持する。そして、鍼管の下端を施術部位となる患者の皮膚に当接させ、その後は従来通りの方法で鍼１を皮膚に刺入する。
【０００８】
ここで、鍼治療は患者に対して何十本も施術する必要があるところ、止めクリップ５の処理により施術の流れが止まってしまう問題がある。まず、止めクリップを一つ一つ取り外す手間がいる。さらに、ゴミ箱に投入する手間もいる。もし床に落としたりすると衛生面を考えると施術が終わるまでは拾い上げることもできず不便である。
【０００９】
このような不便さを解消するため、特許文献１および特許文献２が考案されている。
特許文献１は、棒状鍼柄の先端部に鍼体を埋設した鍼本体と、鍼本体を挿通自在とした挿通孔を備える鍼管とから成る鍼管付き鍼において、鍼柄の先端部に大径部を設け、鍼管の挿通孔を内径が鍼柄の大径部の外径より僅かに小径とした第１挿通部と、内径が鍼柄の大径部の外径より大径とした第２挿通部とで構成し、鍼柄の長さを挿通孔の第１挿通部の長さより長いものとして、鍼本体を鍼柄側から鍼管の第２挿通部に挿入した際、鍼管から突出する鍼柄の尾部を引出し鍼柄の大径部を挿通孔の第１挿通部に挿入して保持させるようにしたことを特徴とするものである。
特許文献１の考案によれば、従来のように固定部材を用いなくても鍼柄の大径部を第１挿通部に挿入保持出来ると共に、鍼柄を鍼管より突出させることが出来るため、鍼本体が鍼管より途中で抜け落ちることなく本考案品を人体の所定位置に容易にかつ確実に載置出来、更に鍼管より突出状態の鍼柄を押圧するのみで鍼体の鍼先を肌に確実に刺すことが可能になる。
【００１０】
特許文献２の鍼術用鍼は、把部を取付けた鍼体を、両端を開口した芯管に挿入し、芯管の両端を弾性薄板で塞ぎ、一方の弾性薄板には、切割りまたは小孔を設けて、端部を芯管外に出してこれに挿通した把部を弾力的に且つ気密に保持させて成ることを特徴とするものである。
特許文献２の考案によれば、使用時に芯管と把部とを捩って両者の結合を解く操作が不要になり、施術者は治療に専念できる。
【００１１】
【特許文献１】実公平３−９７３７号
【特許文献２】実公平３−１６６７５号
【考案の開示】
【考案が解決しようとする課題】
【００１２】
しかしながら、特許文献１の針管付き鍼は、鍼柄先端の大径部を第１挿通部で保持する構成のため、第１挿通部における大径部の位置決めが問題となる。すなわち、第１挿通部における大径部の位置が第２挿通部に近くなりすぎれば、取り扱い時に鍼が抜け落ちる危険性があるが、その一方、第２挿通部から距離を離しすぎれば、施術時に大径部を第２挿通部に到達させるために鍼柄頭部に加える力が大きくなる。鍼柄頭部に加える力が大きくなれば、鍼柄と鍼管の掛止が解かれた際に鍼管先端から出る鍼の勢いも大きくなるため、切皮の際の痛みが増大する。
【００１３】
特許文献２の鍼術用鍼においても、弾性薄板の切割りまたは小孔で保持させる鍼柄（把部）の位置決めに際し、上記と同様の問題がある。
本考案は、前記従来技術の問題点を解決することを目的とし、保持時において鍼を鍼管に保持しつつ確実に鍼を鍼管内に固定することができるとともに、施術時はスムーズに鍼および鍼管を容易に取り出し、かつ、小片の廃棄物も生じない鍼および鍼管の包装構造体を提供することを目的とする。
【課題を解決するための手段】
【００１４】
上記目的を達成するために、本考案の鍼および鍼管の包装構造体は、
鍼体と鍼柄を備えた鍼と、前記鍼が通過可能な内径を備えた筒状の鍼管と、前記鍼と鍼管を収めることができる窪みを備えたブリスタと、前記ブリスタの裏面を封止する台紙を備えた鍼および鍼管の包装構造体において、
前記鍼柄を下に鍼先を上にして前記鍼を前記鍼管の中に納めた形にて、前記ブリスタの中に封入せしめたことを特徴とする。
【００１５】
上記構成により、鍼柄を下に鍼先を上にして前記鍼を前記鍼管の中に納めた形にてパッケージされ、当該パッケージの天地が守られる限り多少の運搬時の揺れなどがあっても鍼先は常に空中に保たれ、鍼先を傷めることはない。
なお、鍼および鍼管の包装構造体を複数個まとめて箱詰めパッケージした鍼および鍼管の包装構造体の集合体として提供する場合、鍼および鍼管の包装構造体を一つ一つ単体のまま箱詰めパッケージせしめることができる。
また、鍼および鍼管の包装構造体を複数個連結した連結体にて箱詰めパッケージせしめることもできる。
【００１６】
なお、上記構成において、前記ブリスタの下部に前記鍼柄の径より大きく前記鍼管の外径よりも小さい径を備えた凹部を設け、前記鍼柄の一部を前記凹部の中に入れ込んだ状態にて前記ブリスタの中に封入せしめることが好ましい。
そして、前記鍼柄を前記ブリスタの凹部に入れ込んだ状態において、鍼先が前記鍼管の内側に位置し、前記ブリスタに当接しない状態となることが好ましい。
【００１７】
一般に、鍼（鍼体と鍼柄の合計の長さ）の長さは鍼管の長さより長いが、このようにブリスタの下部に鍼柄の一部が入り込むことにより鍼先が鍼柄の内部に納まっておれば鍼先が保護され、鍼先がブリスタに当接したり突き破ったりする危険性がなくなる。
【００１８】
次に、ブリスタ下部において前方向に屈曲するきっかけとなる溝状の折り目を設けておくことが好ましい。
【００１９】
上記構成により、鍼を取り出す際にブリスタと台紙の間から鍼管と鍼を取り出しやすくなる。
【００２０】
【考案の効果】
【００２１】
本考案の鍼および鍼管の包装構造体によれば、従来のような止めクリップのような付属補助品を必要とせず、包装時にはパッケージの天地が守られる限り多少の運搬時の揺れなどがあっても鍼先は常に空中に保たれ、鍼先を傷めることはない。また、ブリスタ下部において前方向に屈曲するきっかけとなる溝状の折り目を設けておけば、鍼を取り出す際にブリスタと台紙の間から鍼管と鍼を取り出しやすい。
【考案を実施するための最良の形態】
【００２２】
以下、本考案を実施するための最良の形態について実施例により具体的に説明する。なお、本考案の技術的思想の範囲はこれらの実施例の具体的な形状や数値に限定されるものではない。
【実施例１】
【００２３】
図１は、本考案の実施例１にかかる鍼および鍼管の包装構造体の基本構成を模式的に示した図である。
図１左側は鍼と鍼管を分離した状態を示し、図１右側は鍼と鍼管を組み合わせた状態を示す図である。
【００２４】
鍼１０１は鍼体１０２と鍼柄１０３を備え、ある程度弾性力を備えた鋼線材が用いられている。鍼柄１０３は施術者が指でつまむ持ち手となる。
鍼管１０４は鍼１０１を保護する役目と鍼１０１を挿入するためのガイドとなる。鍼管１０４はその内径が鍼体１０２および鍼柄１０３の外径よりも大きく、鍼１０１が十分な遊びをもって鍼管１０４の内側を滑り通るサイズとなっており、鍼１０１と鍼管１０４は独立し合っている。
【００２５】
図１に示すように、鍼１０１と鍼管１０４を組み合わせた状態において、鍼柄１０３の一部を鍼管１０４上端から出した状態で鍼管１０４を鍼１０１に外装装着した状態となっている。
【００２６】
図２は、実施例１にかかる鍼および鍼管の包装構造体を示す図である。左側が正面図、右側が左側面図である。図２に示したように、鍼１０１、鍼管１０４が組み合わされている状態は図１右側に示したものと同じ状態である。この組み合わせ状態の鍼１０１および鍼管１０４がブリスタ２０１内に滅菌封入されている。ただし、図１に示した天地ではなく、鍼柄１０３が下、鍼体１０２の先が上となる天地となっている。
つまり、鍼柄１０３を下に鍼先を上にして鍼１０１を鍼管１０４の中に納めた形にて、ブリスタ２０１の中に封入せしめたものとなっている。
【００２７】
ブリスタ２０１は裏側が開口された窪みを有しており、鍼１０１と鍼管１０４を組み合わせ状態のまま収めることができる。ブリスタ２０１の素材は限定されないがプラスチックや塩化ビニルなどのある程度柔らかく無色透明の素材とする。
台紙２０３は、ブリスタ２０１の裏面を封止するものであり、ブリスタ２０１の窪みに鍼１０１および鍼管１０４が収められ、裏側から台紙２０３が貼り付けられて密封される。
【００２８】
ここで、ブリスタ２０１の下部には凹部２０２が設けられている。この凹部２０２は、鍼柄１０３の径より大きく鍼管１０４の外径よりも小さい径を備えており、鍼管１０４の上端から出ている鍼柄１０３が収まる部分となっている。鍼柄１０３の一部を凹部２０２の中に入れ込んだ状態にてブリスタ２０１の中に封入せしめる。
【００２９】
一般に、鍼１０１の長さ（鍼体１０２の長さと鍼柄１０３の長さの合計の長さ）は鍼管１０４の長さより長いが、このようにブリスタの下部の凹部２０２に鍼柄１０３の一部が入り込むことにより、鍼１０１の長さより、鍼管１０４の長さと凹部２０２の長さの合計の長さが大きくなり、鍼先が鍼管１０４の内部に納まる位置関係となる。
このように鍼先が鍼柄１０３の内部に納まっておれば鍼先が保護され、鍼先がブリスタ２０１に当接したり突き破ったりする危険性がなくなる。
【００３０】
図２の天地にてパッケージの箱に収め、パッケージの天地を守る限り、図３に示すように、鍼柄１０３をブリスタの凹部２０２に入れ込んだ状態において、鍼先が鍼管１０４の内側に位置し、ブリスタ２０１に当接しない状態となる。多少の運搬時の上下動などでは鍼先がブリスタにぶつかることなく鍼先を傷めないようにすることができる。さらに、鍼先がブリスタ２０１を突き破ることもなく誤って鍼先が指に刺さるなどの危険性もなくなる。
【００３１】
なお、本考案の鍼および鍼管の包装構造体では、図２の状態にて一つ一つが独立した状態で包装される。
【００３２】
次に、ブリスタ２０１の下部において前方向に屈曲するきっかけとなる溝状の折り目２０４を設けた工夫について説明する。図４に示すように、ブリスタ２０１には溝状の折り目２０４が設けられている。
【００３３】
本考案の鍼および鍼管の包装構造体を用いた場合の施術の手順は例えば以下のようになる。図５は本考案の鍼および鍼管の包装構造体を用いた場合の施術の手順例を説明する図である。
まず、パッケージから図２の状態の鍼および鍼管の包装構造体を取り出し、横向きに持つ。
図５（ａ）に示すように、台紙２０３を裏側からブリスタの溝状の折り目２０４よりも下側までめくる。
【００３４】
次に、図５（ｂ）に示すようにブリスタ２０１を前方向（正面方向）に倒し、溝状の折り目２０４に沿って折る。溝状の折り目２０４があるためこの折り目２０４を起点として折れ曲がりやすくなっており、ブリスタ２０１を前方向に倒すだけで容易に溝状の折り目２０４に沿って折れる。
【００３５】
次に、図５（ｃ）に示すように、鍼柄１０３と鍼管１０４を同時につまみ、両者をそのまま引き抜いて取り出す。この鍼柄１０３と鍼管１０４を同時につまんだ状態ならばそのまま患者に鍼１０１を打つ施術に移行することができ、上記の手順によりスムーズに鍼１０１と鍼管１０４の取り出しと施術を行うことができる。
【００３６】
以上、本考案の鍼および鍼管の包装構造体によれば、鍼柄を下に鍼先を上にして前記鍼を前記鍼管の中に納めた形にてパッケージされ、当該パッケージの天地が守られる限り多少の運搬時の揺れなどがあっても鍼先は常に空中に保たれ、鍼先を傷めることはない。
【実施例２】
【００３７】
上記の本発明にかかる鍼および鍼管の包装構造体を箱詰パッケージとして提供する場合の工夫について述べる。
鍼および鍼管の包装構造体を複数個まとめて箱詰めパッケージした鍼および鍼管の包装構造体の集合体として提供する場合、図６に示すように、鍼および鍼管の包装構造体を一つ一つ単体のままで箱体３００に箱詰めパッケージせしめることができる。
また、図７に示すように、鍼および鍼管の包装構造体を複数個連結した連結体にて箱体３００に箱詰めパッケージせしめることもできる。
【００３８】
以上、本考案の鍼および鍼管の包装構造体における好ましい実施形態を図示して説明してきたが、本考案の技術的範囲を逸脱することなく種々の変更が可能であることは理解されるであろう。
【産業上の利用可能性】
【００３９】
本考案の鍼および鍼管の包装構造体は、広く、管鍼法に用いる鍼および鍼管の包装構造体に適用される。
【図面の簡単な説明】
【００４０】
【図１】本考案の実施例１にかかる鍼および鍼管の包装構造体の基本構成を模式的に示した図
【図２】実施例１にかかる鍼および鍼管の包装構造体を示す図
【図３】鍼柄１０３をブリスタの凹部２０２に入れ込んだ状態において鍼先が鍼管１０４の内部で保護される様子を説明した図
【図４】ブリスタ２０１に溝状の折り目２０４が設けられている構成例を示した図
【図５】本考案の鍼および鍼管の包装構造体を用いた場合の施術の手順例を説明する図
【図６】鍼および鍼管の包装構造体を複数個まとめて箱詰めパッケージした鍼および鍼管の包装構造体の集合体として提供する場合を示す図
【図７】鍼および鍼管の包装構造体を複数個連結した連結体にて提供する場合を示す図
【図８】従来の鍼と鍼管と止めクリップを示す図
【図９】従来の鍼および鍼管の包装構造体を示す図
【図１０】従来の鍼および鍼管の包装構造体から鍼および鍼管を取り出す様子を示す図
【符号の説明】
【００４１】
１０１  鍼
１０２  鍼体
１０３  鍼柄
１０４  鍼管
２０１  ブリスタ
２０２  台紙
２０３  凹部
２０４  溝状の折り目
３００  箱体
【図１】
0003138092.tif 000003
【図２】
0003138092.tif 000004
【図３】
0003138092.tif 000005
【図４】
0003138092.tif 000006
【図５】
0003138092.tif 000007
【図６】
0003138092.tif 000008
【図７】
0003138092.tif 000009
【図８】
0003138092.tif 000010
【図９】
0003138092.tif 000011
【図１０】
0003138092.tif 000012